(57)【要約】【課題】  外装ケースと操作スイッチとの両者ともにデザインの自由度が高く、かつ機能性に優れるＥＬ発光機能付き電子機器を提供する。【解決手段】  外装ケースと、外装ケースに形成されている穴部に配設される操作スイッチとを有するものであって、外装ケースには第１の装飾部、操作スイッチには第２の装飾部が表面側から視認可能に各々形成されており、両装飾部は、装飾性を有する多色発光ＥＬシートまたは照光用ＥＬシート付きの装飾シートからなり、装飾デザインが統一性を有している。【選択図】      図１
2005223606.tif 000002
【特許請求の範囲】
【請求項１】
外装ケースと、当該外装ケースに形成されている穴部に配設される操作キーとを有し、
前記外装ケースには第１ＥＬシートが、前記操作キーには第２ＥＬシートがそれぞれ表面側から視認可能に設けてあり、
前記第１シートと前記第２シートにはそれぞれ加飾パターンが形成してあり、
前記第１シートの加飾パターンと前記第２シートの加飾パターンとが連続したパターンをなしている
ことを特徴とするＥＬ発光機能付き電子機器。
【請求項２】
請求項１において、前記外装ケースは光透過性材料からなり、前記第１ＥＬシートは当該外装ケースの内部または背面部に形成されていることを特徴とするＥＬ発光機能付き電子機器。
【請求項３】
請求項１において、前記操作キーは光透過性材料からなり、前記第２ＥＬシートは当該操作キーの内部または背面部に配設されていることを特徴とするＥＬ発光機能付き電子機器。
【請求項４】
請求項１乃至３において、前記第１ＥＬシートおよび前記第２ＥＬシートは、前記操作キーの非操作時に実質的に同一高さ位置にあることを特徴とするＥＬ発光機能付き電子機器。
【請求項５】
請求項１乃至４において、前記外装ケースまたは前記操作キーは、インサート成形技術によって成形したものであることを特徴とするＥＬ発光機能付き電子機器。
【発明の詳細な説明】
【技術分野】
【０００１】
本発明は、携帯電話、携帯情報端末、家電機器、産業用機器、音響機器、自動車電装部品等の電子機器に関し、さらに詳しくはＥＬ発光機能を備えた電子機器に関するものである。
【背景技術】
【０００２】
従来、例えば携帯電話等において、外装ケースに装飾が施されてデザイン性に富んだ加飾成形品が提案されている。この加飾成形品はそれを暗所において発光させることによって、さらなる装飾性の向上を図ることができる（例えば、特許文献１参照）。
【特許文献１】特開２００１−３４７５３９号公報（第３−４頁、第１図）
【発明の開示】
【発明が解決しようとする課題】
【０００３】
しかしながら、外装ケースに操作スイッチが設けられる加飾成形品においては、操作スイッチの存在によって、外装ケースにおけるデザインの自由度が低くなるという問題があった。
【０００４】
本発明は、前記状況に鑑みてなされたものであり、デザインの自由度が高いＥＬ発光機能付き電子機器を提供することである。
【課題を解決するための手段】
【０００５】
前記課題を解決するために、本発明に係るＥＬ発光機能付き電子機器は、外装ケースと、当該外装ケースに形成されている穴部に配設される操作キーとを有し、前記外装ケースには第１ＥＬシートが、前記操作キーには第２ＥＬシートがそれぞれ表面側から視認可能に設けてあり、前記第１シートと前記第２シートにはそれぞれ加飾パターンが形成してあり、前記第１シートの加飾パターンと前記第２シートの加飾パターンとが連続したパターンをなしていることを特徴としている。この構成によれば、外装ケースと操作キーが暗所において照光されるから、暗所における操作のための照光機能に加え、デザイン的にも優れたものとすることが可能となる。
【０００６】
また、本発明に係る前記外装ケースは、光透過性材料からなり、前記第１ＥＬシートは当該外装ケースの内部または背面部に形成されていることを特徴としている。この構成によれば、前記第１ＥＬシートは直接外部に曝されることなく、かつ前記第１ＥＬシートを外傷及び温度・湿度の変化から外装ケース自体により保護することができる。
【０００７】
また、本発明に係る前記操作キーは、光透過性材料からなり、前記第２ＥＬシートは当該操作キーの内部または背面部に配設されていることを特徴としている。この構成によれば、前記第２ＥＬシートは直接外部に曝されることなく、かつ前記第２ＥＬシートを外傷及び温度・湿度の変化から外装ケース自体により保護することができる。
【０００８】
また、本発明に係る前記第１ＥＬシートおよび前記第２ＥＬシートは、前記操作キーの非操作時に実質的に同一高さにあることを特徴としている。この構成によれば、第１ＥＬシートの発光パターンと第２ＥＬシートの発光パターンとが実質的に同一レベルで表示されるので、デザインの連続性をより効果的に保つことができる。
【０００９】
また、本発明に係る前記外装ケースまたは前記操作キーは、インサート成形技術によって成形したものであることを特徴としている。この構成によれば、前記第１装飾層、前記第１ＥＬシートは前記外装ケースの表面に、かつ前記第２装飾層および前記第２ＥＬシートは前記操作キーの表面に一体成形されるので、前記第１装飾層、前記第１ＥＬシートが前記外装ケースから、または前記第２装飾層および前記第２ＥＬシートが前記操作キーから剥がれ落ちたり、位置がずれたりすることはなく、耐久性に優れたＥＬ発光機能付き電子機器を提供できる。
【発明の効果】
【００１０】
本発明によれば、デザインの自由度が高い機能性に優れたＥＬ発光機能付き電子機器を提供できる。
【発明を実施するための最良の形態】
【００１１】
本発明の実施の形態について図面を参照して説明する。  
【００１２】
図１に、本発明のＥＬ発光機能付き電子機器の第１の実施の形態として携帯電話の部分平面図を示す。外装ケースの上ケース１には複数の穴部１ａが形成されており、その穴部１ａの各々に操作キー２が配設されている。上ケース１および操作キー２には、上ケース１に形成されている第１の装飾部３と操作キー２に形成されている第２の装飾部４とによって、両装飾部が統一性を有する装飾デザイン（本実施の形態においては、「月」と「星」。）が表面側から視認可能に形成されている。本実施の形態は携帯電話の例であるので、上ケース１の下方には、通話時の発声をピックアップするマイク（不図示）のための孔部１ｂが設けられている。
【００１３】
図２に、図１のＡ−Ａ部の部分断面図を示す。樹脂成形品である上ケース１のケース面１ｃ上に接着層６ａを介して照光用のＥＬシート１０１が配設してあり、ＥＬシート１０１上に光透過性の材料からなる接着層６ｂを介して第１の装飾部３が形成してある。両接着層６ａ、６ｂについて、接着層６ａは光透過性または遮光性の材料を任意に採用してもよい。第１の装飾部３は、上ケース１のケース面１ｃを全面的に被覆する光透過性シート３ａと、光透過性シート３ａ上に形成されている第１の装飾領域３ｂ（図２においては不図示。図１における「月」または「星」の領域。）と第２の装飾領域３ｃとから形成されていて、両装飾領域３ｂ、３ｃが露出しないようにＥＬシート１０１上に配設される。ここで、第１の装飾領域３ｂは光透過性で黄色を、第２の装飾領域３ｃは遮光性で青色を呈色するように設定している。ＥＬシート１０１は照光用であり、第１の装飾領域３ｂすなわち図１における「月」または「星」の領域を照光するものであればよい。ＥＬシート１０１が部分的に発光する構成は、ＥＬシート１０１を製造する際に、第１の装飾領域３ｂに位置する領域以外において、背面電極層を省略して形成する等によればよい。この構成により、上ケース１のケース面１ｃは、明所においては、第１の装飾領域３ｂ（黄色）と第２の装飾領域（青色）が視認でき、暗所においては、ＥＬシート１０１の照光によって第１の装飾領域（黄色）が照光されて視認できる。
【００１４】
なお、第１の装飾部３について、第２の装飾領域３ｃを光透過性の材料で形成してもよい。その場合、照光用のＥＬシート１０１は全面的に第１の装飾部３を照光するものを採用する。また、同第２の装飾領域３ｃを光透過性、遮光性の材料を混在させて形成してもよい。その場合、第１の装飾領域３ｂおよび第２の装飾領域３ｃの光透過性の装飾領域を照光するように形成したＥＬシート１０１を採用、すなわち、上面に光透過性の装飾領域が位置する部分を照光可能に形成したＥＬシート１０１を採用する。
【００１５】
ここで、照光用のＥＬシートについて説明する。ポリカーボネート（ＰＣ）やポリエチレンテレフタレート（ＰＥＴ）等の光透過性基板上に、光透過性電極としてインジウム−錫酸化物（ＩＴＯ）を蒸着して、またはＩＴＯの針状結晶をバインダ樹脂に分散させたインクを印刷して光透過性電極層を形成する。光透過性電極層上に、発光インクを印刷して発光層を形成する。発光インクを構成する発光体としては、Ｃｕをドープした硫化亜鉛（ＺｎＳ）が用いられる。この発光体と、フッ素樹脂バインダとしてフッ化ビニリデンと六フッ化プロピレンの共重合体を溶剤としてのメチルエチルケトンに溶かしたバインダと、これらを混合して攪拌し、さらに、所望の色を呈色するように蛍光顔料を混入し、発光インクを作る。混入した蛍光顔料が蛍光体の発光に対して２次発光し、所望の色を呈色する。この発光インクをスクリーン印刷法等の方法によって光透過性電極層上に分割して印刷し、その後、加熱し乾燥させて発光層を形成する。発光層上に同様の方法によって印刷して絶縁層を形成する。絶縁層を形成する絶縁インクは、チタン酸バリウム（ＢａＴｉＯ3）からなる高誘電体物質と上述のフッ素樹脂バインダとを混合して攪拌することによって作る。絶縁層上に、背面電極としてカーボンインクを印刷し、加熱、乾燥し、一旦、ＥＬシートを発光させる部分全面に背面電極層を形成する。背面電極層は、カーボン粉と銀粉および銅粉とバインダであるポリエステル樹脂によって構成したものでもよい。背面電極層上に、保護層としてポリエステル樹脂、アクリル樹脂、ポリ塩化ビニル（ＰＶＣ）樹脂等、電気的に絶縁できるものを印刷形成する。ポリエステル樹脂としては、具体的にはポリエチレンテレフタレート（ＰＥＴ）、ポリブチレンテレフタレート（ＰＢＴ）等が挙げられる。また、アクリル樹脂としては、具体的にはポリメタクリル酸メチル樹脂（ＰＭＭＡ）等が挙げられる。なお、ＥＬシートにおいて、非発光領域の形成は、その領域において背面電極層の形成を省略する等によればよく、また、発光層、絶縁層の形成を省略する等によってもよい。以上のようにして、ＥＬシートを製造する。
【００１６】
樹脂成形品である操作スイッチ２は、ボタン部２ａと突出部２ｂと連結部２ｃとからなり、１２個のボタン部（図１参照）が連結部２ｃによって連結された状態で一体的に形成されている。操作スイッチ２を形成する成形樹脂は可撓性かつ光透過性を有する材料を使用する。ボタン部２ａ上には、光透過性の材料からなる接着層５ａを介して第２の装飾部４が配設してある。第２の装飾部４は、連結部２ｃを含み全面的に被覆する光透過性シート４ａと、光透過性シート４ａ上に形成されている第１の装飾領域４ｂ（図１における「月」または「星」の部分。）、第２の装飾領域４ｃ（図１における「数字・記号」の部分。）および第３の装飾領域４ｄとから形成されていて、全装飾領域４ｂ、４ｃ、４ｄが露出しないようにボタン部２ａ上に配設される。ここで、第１の装飾領域４ｂは光透過性で黄色を、第２の装飾領域４ｃは光透過性で黄色と異なる色、例えば緑色を、第３の装飾領域４ｄは遮光性で青色を呈色するように設定している。この構成により、操作スイッチ２は、明所においては、操作スイッチ２の「数字・記号」が１、２、４、５、９、０、＃の所では第１の装飾領域４ｂ（黄色）と第２の装飾領域４ｃ（緑色）と第３の装飾領域４ｄ（青色）、「数字・記号」が３、６、７、８、＊の所では第２の装飾領域４ｃ（緑）と第３の装飾領域４ｄ（青色）が視認でき、暗所においては、後述する下方に在るＥＬシート１０２の照光によって、第１の装飾領域４ｂ（黄色）と第２の装飾領域４ｃ（緑色）が照光されて視認できる。
【００１７】
なお、別の装飾デザインとして、第１および第３の装飾領域を光透過性の材料、第２の装飾領域すなわち「数字・記号」を遮光性の材料で形成してもよい。この場合、暗所においては、ＥＬシート２２の照光によって「数字・記号」が影となって視認できる。
【００１８】
操作スイッチ２の下方には、電子機器の電気的制御を行なう回路部品等が実装されている回路基板７が配設されており、操作スイッチ２の突出部２ｂの直下にはスイッチ部が配設されている。スイッチ部の構成の一例として、回路基板７上に円形の固定接点７ｂとこれと同心リング状の固定接点７ａとが設けられていて、金属材料等の導電性材料で形成されているドーム型タイプの可動接点８とからなるものを示す。可動接点８はＥＬシート２２とその下面に塗布された接着材（不図示）によって、回路基板７の所定の位置に固定される。操作スイッチ２のボタン部２ａを下方に押圧すると、操作スイッチ２の突出部２ｂが可動接点８に当接して可動接点８が下方に弾性変形して両固定接点７ａ、７ｂを電気的に導通させ、押圧をやめると可動接点８は元のドーム状態に戻り両固定接点７ａ、７ｂの導通状態を解除する。この様に、スイッチ部は電気的にＯＮ／ＯＦＦする。ＥＬシート１０２は、少なくとも操作スイッチ２を照光するように構成されていればよく、発光部２２ａと非発光部２２ｂとからなるものを採用している。非発光部の形成は、ＥＬシート１０２において背面電極を省略して形成する等によればよい。ＥＬシート１０２の発光部１０２ａによって、操作スイッチ２は照光され、操作スイッチ２の装飾デザインが視認できる。
【００１９】
図３及び図４に、第２の実施の形態を示す。図３に、本発明の一例として携帯電話の部分平面図を示す。外装ケースの上ケース１１には複数の穴部１１ａが形成されており、その穴部１１ａの各々に操作キー１２が配設されている。上ケース１１および操作キー１２には、上ケース１１に形成されている第１の装飾部１３と操作キー１２に形成されている第２の装飾部１４とによって、両装飾部が統一性を有する装飾デザイン（本実施の形態においては、「月」と「星」。）が表面側から視認可能に形成されている。本実施の形態は携帯電話の例であるので、上ケース１１の下方には、通話時の発声をピックアップするマイク（不図示）のための孔部１１ｂが設けられている。
【００２０】
これは、第１の装飾部１３を上ケース１１のケース面１１ｃの背面側に配設、第２の装飾部１４を第１の装飾部１３に対し実質的に同一高さ位置になるように操作スイッチ１２の内部に設けたものである。この構成を採用すれば、操作スイッチ１２の非操作時に、第１の装飾部１３と第２の装飾部１４とが段差なく視認することができる。
【００２１】
光透過性の材料からなる上ケース１１のケース面１１ｃの背面側に光透過性の材料からなる接着層１６ｄを介して第１の装飾部１３が形成されている。第１の装飾部１３は、上述した第１の実施の形態と同様で、上ケース１のケース面１１ｃの背面側を全面的に被覆する光透過性シート１３ａと、光透過性シート１３ａ上に形成されている第１の装飾領域１３ｂ（図３における「月」または「星」部分。）と第２の装飾領域１３ｃとから形成されている。本実施の形態においては、両装飾領域１３ｂ、１３ｃは光透過性シート１３ａに対して上下どちら側にあっても構わない。ここで、第１の装飾領域１３ｂは光透過性で黄色を、第２の装飾領域１３ｃは遮光性で青色を呈色するように設定している。第１の装飾部１３の背面側に照光用のＥＬシート１０３が光透過性の接着層１６ｃを介して配設されている。ＥＬシート１０３は、上述した第１の実施の形態と同様、照光したい部分すなわち図３における「月」または「星」部分が照光されるものであればよく、これは、ＥＬシート１０３を製造する際に、第１の装飾領域１３ｂに位置する領域以外において、背面電極層を省略して形成する等によればよい。この構成により、上ケース１１のケース面１１ｃは、明所においては、第１の装飾領域１３ｂ（黄色）と第２の装飾領域（青色）が視認でき、暗所においては、ＥＬシート１０３の照光によって第１の装飾領域（黄色）が照光されて視認できる。
【００２２】
なお、第１の装飾部１３について、第２の装飾領域１３ｃを光透過性のもので形成、また、光透過性、遮光性のものを混在させて形成してもよく、この場合、照光用のＥＬシート１０３の構成については、上述した第１の実施の形態と同様にすればよい。
【００２３】
操作スイッチ１２は、第１の実施の形態同様、樹脂成形品であるボタン部１２ａと突出部１２ｂと連結部１２ｃとからなり、１２個のボタン部（図３参照）が連結部１２ｃによって連結された状態で一体的に形成されている。突出部１２ｂ上方に平面部を形成し、この平面部上に光透過性の接着層１５ｂを介して第２の装飾部１４が配設されていて、第２の装飾部１４上に光透過性の接着層１５ｃを介してボタン部１２ａが配設されている。第２の装飾部１４は、操作スイッチ１２のボタン部１２ａにのみ形成してあり、光透過性シート１４ａと、光透過性シート１４ａ上に形成されている第１の装飾領域１４ｂ（図３における「月」または「星」の部分。）、第２の装飾領域１４ｃ（図３における「数字・記号」の部分。）および第３の装飾領域１４ｄとから形成されている。本実施の形態においては、全装飾領域１４ｂ、１４ｃ、１４ｄは、本発明に係る第１の実施の形態同様、光透過性シート１４ａに対して上下どちら側にあっても構わない。なお、本実施例に係る電気機器の使用方法は、第１の実施の形態と同様である。
【００２４】
ここで、上述した第１の実施の形態（図１、図２参照）と第２の実施の形態（図３、図４参照）において、第１の装飾部３（または１３）および第２の装飾部４（または１４）の配設位置は上述の組み合わせに限られるものでなく、両者を相互に組み合わせて採用することも可能である。例えば、第１の実施の形態における第２の装飾部４（または１４）の配設位置すなわち第２の装飾部４（または１４）を操作スイッチ２（または１２）の表面側に、第２の実施の形態における第１の装飾部３（または１３）の配設位置すなわち第１の装飾部３（または１３）を上ケース１（または１１）のケース面１ｃ（または１１ｃ）の背面側に配設したものが挙げられる。この組み合わせによれば、操作スイッチ２（または１２）の第２の装飾部４（または１４）をケース面１ｃ（または１１ｃ）の第１の装飾部３（または１３）に対して際立たせることができる。
【００２５】
また、樹脂成形品である上ケース１（または１１）のケース面１ｃ（または１１ｃ）に第１の装飾部３（または１３）を、操作スイッチ２（または１２）のボタン部２ａ（または１２ａ）や連結部２ｃ（または１２ｃ）に第２の装飾部４（または１４）を形成する場合に、上述では、それらを予め成形された樹脂成形品に接着層にて接着することによって行なう実施の形態を説明したが、これに限らない。上ケース１（または１１）であれば第１の装飾部３（または１３）とＥＬシート１０１（または１０３）を位置決めした状態で接着したものを、操作スイッチ２（または１２）であれば第２の装飾部４（または１４）を、射出成形金型内にインサートして樹脂を射出する、すなわちインサート成形によって上ケース１および操作スイッチ２（または１２）を製造してもよい。
【００２６】
次に、上述してきたような第１の装飾部３（または１３）や第２の装飾部４（または１４）を用いず、ＥＬシート自体に装飾性を持たせる、すなわち、多色発光ＥＬシートを用いてＥＬ発光機能付き電子機器を構成する実施の形態について説明する。
【００２７】
図５に、第３の実施形態としての携帯電話の部分平面図を示す。外装ケースの上ケース２１には複数の穴部２１ａが形成されており、その穴部２１ａの各々に操作キー２２が配設されている。第１の多色発光ＥＬシート１０４と第２の多色発光ＥＬシート１０５は、図５に示す「月」と「星」の一部が視認可能なように領域分けして形成されており、ここでは第１の多色発光ＥＬシート１０４と第２の多色発光ＥＬシート１０５の発光時に、「月」と「星」の黄色発光の領域とその他の青色発光の領域とが在る。この構成により、上ケース２１は、明所においては、第１の多色発光ＥＬシート１０４と第２の多色発光ＥＬシート１０５との非発光時に呈する色で装飾デザインが視認でき、暗所においては、第１の多色発光ＥＬシート１０４と第２の多色発光ＥＬシート１０５とが発光時に呈する色で装飾デザインが視認できる。
【００２８】
なお、「月」が黄色、「星」が橙色を呈色するように設定することも可能である。また、さらには、「月」と「星」の領域以外について、非発光部分と発光部分を混在させて形成してもよい。例えば、図示しないが、「月」の周りに「雲」の形状に白濁色発光する領域を部分的に設け、その他の領域は非発光部分とする装飾デザインである。非発光領域は、第１の多色発光ＥＬシート１０３と第２の多色発光ＥＬシート１０５とを製造する際に、非発光部分の背面電極層を省略して形成する等によればよい。
【００２９】
ここで、多色発光ＥＬシートについて図９により説明する。ポリカーボネート（ＰＣ）やポリエチレンテレフタレート（ＰＥＴ）等の光透過性基板２０１上に、光透過性電極としてインジウム−錫酸化物（ＩＴＯ）を蒸着して、またはＩＴＯの針状結晶をバインダ樹脂に分散させたものを印刷して光透過性電極層２０２を形成する。光透過性電極層２０２上に、発光インクを印刷して発光層２０３を形成する。この時、発光層２０３は、複数の領域に分割して（本図は、２０３ａ、２０３ｂ、２０３ｃ、２０３ｄの４つの領域に分割した例）印刷形成する。発光インクを構成する発光体としては、Ｃｕをドープした硫化亜鉛（ＺｎＳ）が用いられる。この発光体と、フッ素樹脂バインダとしてフッ化ビニリデンと六フッ化プロピレンの共重合体を溶剤としてのメチルエチルケトンに溶かしたバインダと、これらを混合して攪拌し、さらに、所望の色を呈色するように蛍光顔料を混入し、発光インクを作る。混入した蛍光顔料が蛍光体の発光に対して２次発光し、所望の色を呈色する。この発光インクをスクリーン印刷法等の方法によって光透過性電極層２０２上に分割して印刷し、その後、加熱し乾燥させて発光層２０３を形成する。発光層２０３上に同様の方法によって印刷して絶縁層２０４を形成する。絶縁層２０４を形成する絶縁インクは、チタン酸バリウム（ＢａＴｉＯ3）からなる高誘電体物質と上述のフッ素樹脂バインダとを混合して攪拌することによって作る。絶縁層２０４上に、背面電極としてカーボンインクを印刷し、加熱、乾燥し、一旦、多色発光ＥＬシートを発光させる部分全面に背面電極層２０５を形成する。背面電極層２０５は、カーボン粉と銀粉および銅粉とバインダであるポリエステルによって構成したものでもよい。背面電極層２０５上に、保護層２０６としてポリエステル樹脂、アクリル樹脂、ポリ塩化ビニル（ＰＶＣ）樹脂等、電気的に絶縁できるものを印刷形成する。ポリエステル樹脂としては、具体的にはポリエチレンテレフタレート（ＰＥＴ）、ポリブチレンテレフタレート（ＰＢＴ）等が挙げられる。またアクリル樹脂としては、具体的にはポリメタクリル酸メチル樹脂（ＰＭＭＡ）等が挙げられる。多色発光ＥＬシートにおいて、非発光領域の形成は、その領域において背面電極層２０５の形成を省略してもよく、また、非発光領域の明所での呈色を得るため、発光層２０３に発光体なしの顔料層のみとしてもよい。以上のようにして、多色発光ＥＬシートを製造する。
【００３０】
図６は、図５のＡ−Ａ部の部分断面図を示す。上ケースのケース面２１ｃ上には、接着層２６ｅを介して第１の多色発光ＥＬシート１０４に貼着されている。操作スイッチ２２は、樹脂成形品であるボタン部２２ａと突出部２２ｂと連結部２２ｃとからなり、１２個のボタン部（図５参照）が連結部２２ｃによって連結された状態で一体的に形成されている。操作スイッチ２２を形成する成形樹脂は可撓性であるものを使用する。本第２の実施の形態においては成形樹脂の光透過性については拘らない。ボタン部２２ａ上には、接着層２５ｄを介して第２の多色発光ＥＬシート１０５が配設されている。接着層２５ｄについても光透過性については拘らない。第２の多色発光ＥＬシート１０５は、図１に示す「月」と「星」の一部および「数字・記号」が領域分けして形成されており、ここでは第２の多色発光ＥＬシート１０５の発光時に、「月」と「星」の黄色発光の領域と、「数字・記号」の黄色と異なる色、例えば緑色発光の領域と、その他の青色発光の領域とが在る。この構成により、操作スイッチ２２は、明所においては、第２の多色発光ＥＬシート１０５の非発光時に呈する色で装飾デザインが視認でき、暗所においては、第２の多色発光ＥＬシート１０５が発光時に呈する色で装飾デザインが視認できる。なお、本実施例に係る電気機器の使用方法は、本発明に係る第２の実施の形態と同様である。
【００３１】
また、図７及び図８に第４の実施の形態を示す。図７に示すように、外装ケースの上ケース３１には複数の穴部３１ａが形成されており、その穴部３１ａ各々に操作キー３２が配設されている。第１の多色発光ＥＬシート１０６と第２の多色発光ＥＬシート１０７は、図７に示す「月」と「星」の一部が視認可能なように領域分けして形成されており、ここでは第１の多色発光ＥＬシート１０６と第２の多色発光ＥＬシート１０７の発光時に、「月」と「星」の黄色発光の領域とその他の青色発光の領域とが在る。
【００３２】
図８に、図７のＡ−Ａ部の部分断面図を示す。光透過性の材料からなる上ケース３１のケース面３１ｃの背面側に光透過性の材料からなる接着層３６ｆを介して第１の多色発光ＥＬシート１０６が配設されている。第１の多色発光ＥＬシート１０６は、上述した第２の実施の形態と同様で、図７に示す「月」と「星」の一部が視認可能なように領域分けして形成されており、ここでは第１の多色発光ＥＬシート１０６の発光時に、「月」と「星」の黄色発光の領域とその他の青色発光の領域とが在る。この構成により、上ケース３１のケース面３１ｃは、明所においては、第１の多色発光ＥＬシート１０６の非発光時に呈する色で装飾デザインが視認でき、暗所においては、第１の多色発光ＥＬシート１０６が発光時に呈する色で装飾デザインが視認できる。
【００３３】
操作スイッチ３２は、樹脂成形品であるボタン部３２ａと突出部３２ｂと連結部３２ｃとからなり、１２個のボタン部（図７参照）が連結部３２ｃによって連結された状態で一体的に連結されている。操作スイッチ３２を形成する成形樹脂は、少なくとも連結部２ｃについては可撓性であり、少なくとも連結部３２ａについては光透過性であるものを使用する。突出部２ｂ上方に光透過性の接着層３５ｅを介して第２の多色発光ＥＬシート１０７が配設されていて、第２の多色発光ＥＬシート１０７上に光透過性の接着層３５ｆを介してボタン部３２ａが配設されている。第２の多色発光ＥＬシート１０７は、操作スイッチ３２のボタン部３２ａにのみ形成してあり、図７に示す「月」と「星」の一部および「数字・記号」が領域分けして形成されており、ここでは第２の多色発光ＥＬシート１０７の発光時に、「月」と「星」の黄色発光の領域と、「数字・記号」の黄色と異なる色、例えば緑色発光の領域と、その他の青色発光の領域とが在る。この構成により、操作スイッチ３２は、明所においては、第２の多色発光ＥＬシート１０７の非発光時に呈する色で装飾デザインが視認でき、暗所においては、第２の多色発光ＥＬシート１０７が発光時に呈する色で装飾デザインが視認できる。
【００３４】
ここで、上述した第３の実施の形態（図５、図６参照）と第４の実施の形態（図７、図８参照）において、第１の多色発光シート１０４または１０６および第２の多色発光ＥＬシート１０５または１０７の配設位置は上述の組み合わせに限られるものでなく、両者を混合して組み合わせて採用することも可能である。例えば、第３の実施の形態における第２の多色発光ＥＬシート１０５または１０７の配設位置すなわち第２の多色発光ＥＬシート１０５または１０７を操作スイッチ３２の表面側に、第４の実施の形態における第１の多色発光ＥＬシート１０４または１０６の配設位置すなわち第１の多色発光ＥＬシート１０４または１０６を上ケース３１のケース面３１ｃ背面側に配設したものが挙げられる。この組み合わせによれば、操作スイッチ３２の第２の多色発光ＥＬシート１０５または１０７を第２の多色発光ＥＬシート１０４または１０６に対して際立たせることができる。
【００３５】
また、上述した第１の実施の形態と同様、樹脂成形品である上ケース３１のケース面３１ｃに第１の多色発光ＥＬシート１０４または１０６を、操作スイッチ３２のボタン部３２ａや連結部３２ｃに第２の多色発光ＥＬシート１０５または１０７を形成する場合に、上述では、それらを予め成形された樹脂成形品に接着層にて接着することによって行なう実施の形態を説明してきたが、これに限られない。上ケース３１であれば第１の多色発光ＥＬシート１０４または１０６を、操作スイッチ３２であれば第２の多色発光ＥＬシート１０５または１０７を、射出成形金型内にインサートして樹脂を射出する、すなわちインサート成形によって、上ケース３１および操作スイッチ３２を製造してもよい。
【００３６】
さらには、上述した第１の実施の形態および第２の実施の形態で説明した第１および第２の装飾部を照光用のＥＬシートで発光させる構成と、第３の実施の形態および第４の実施の形態で説明した第１および第２の多色発光ＥＬシートを発光させる構成とを適宜混在させて実施してもよい。
【図面の簡単な説明】
【００３７】
【図１】本発明のＥＬ発光機能付き電子機器の一例として携帯電話の第１の実施の形態を示す部分平面図である。
【図２】図１のＡ−Ａ部の部分断面図である。
【図３】本発明のＥＬ発光機能付き電子機器の一例として携帯電話の第２の実施の形態を示す部分平面図である。
【図４】図３のＡ−Ａ部の部分断面図である。
【図５】本発明のＥＬ発光機能付き電子機器の一例として携帯電話の第３の実施の形態を示す部分平面図である。
【図６】図５のＡ−Ａ部の部分断面図である。
【図７】本発明のＥＬ発光機能付き電子機器の一例として携帯電話の第４の実施の形態を示す部分平面図である。
【図８】図７のＡ−Ａ部の部分断面図である。
【図９】多色発光ＥＬシートを説明する部分断面図である。
【符号の説明】
【００３８】
１、１１、２１、３１            外装ケース
１ａ、１１ａ、２１ａ、３１ａ    穴部
２、１２、２２、３２            操作スイッチ
３、１３                        第１の装飾部
４、１４                        第２の装飾部
１０１、１０２、１０３            照光用ＥＬシート
１０４、１０５、１０６、１０７    多色発光ＥＬシート
【図１】
2005223606.tif 000003
【図２】
2005223606.tif 000004
【図３】
2005223606.tif 000005
【図４】
2005223606.tif 000006
【図５】
2005223606.tif 000007
【図６】
2005223606.tif 000008
【図７】
2005223606.tif 000009
【図８】
2005223606.tif 000010
【図９】
2005223606.tif 000011